【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
同期信号に従ったフレームレートで複数の放射線画像を撮像する撮像部と、前記撮像部を制御する制御部とを備える放射線撮像装置であって、
前記制御部は、前記撮像部における温度の変化が低減されるように、前記フレームレートが所定フレームレートより遅い場合に、撮像動作の他に、前記撮像動作で発生する熱の他に追加の熱を発生させる温度制御動作を前記撮像部に行わせる、
ことを特徴とする放射線撮像装置。
【請求項２】
前記制御部は、前記フレームレートが前記所定フレームレートより遅い場合に、前記同期信号に従って前記撮像部のリセット動作を前記撮像部に行わせ、前記リセット動作から前記所定フレームレートに応じた待ち時間の経過後に前記温度制御動作を前記撮像部に行わせる、
ことを特徴とする請求項１に記載の放射線撮像装置。
【請求項３】
前記制御部は、前記所定フレームレートに応じて前記待ち時間を決定する、
ことを特徴とする請求項２に記載の放射線撮像装置。
【請求項４】
前記撮像部は、複数の画素を有する画素アレイを備え、
前記複数の画素の各々は、放射線を電気信号に変換する変換素子と、前記変換素子で変換された電気信号に応じた信号を出力する画素内読出回路とを含み、
前記温度制御動作は、前記撮像動作において前記画素内読出回路が消費する電力の他に追加の電力を前記画素内読出回路に消費させる動作を含む、
ことを特徴とする請求項１乃至３のいずれか１項に記載の放射線撮像装置。
【請求項５】
前記画素内読出回路は、直列に接続された電流源および増幅トランジスタを含む増幅回路を含み、前記増幅トランジスタは、前記変換素子で変換された電気信号に応じた信号を出力し、
前記撮像動作は、前記変換素子で変換された電気信号の検出のために前記電流源をイネーブルする動作を含み、前記温度制御動作は、熱を発生するための電力を消費するように前記電流源をイネーブルする動作を含む、
ことを特徴とする請求項４に記載の放射線撮像装置。
【請求項６】
前記制御部は、単位時間当たりに前記電流源がイネーブルされる時間であるイネーブル比率を制御するように構成され、
前記温度制御動作は、前記フレームレートの変化による前記イネーブル比率の変化が低減されるように実行される、
ことを特徴とする請求項５に記載の放射線撮像装置。
【請求項７】
前記温度制御動作は、断続的に実行される、
ことを特徴とする請求項１乃至６のいずれか１項に記載の放射線撮像装置。
【請求項８】
前記温度制御動作は、連続する２つの前記同期信号で規定されるフレーム期間の一部において連続的に実行される、
ことを特徴とする請求項１乃至６のいずれか１項に記載の放射線撮像装置。
【請求項９】
前記制御部は、放射線が照射されない状態で前記撮像部にダミーの撮像を実行させることによって得られたオフセット画像に基づいて前記複数の放射線画像を補正し、
前記オフセット画像は、前記複数の放射線画像の補正において共通に使用される、
ことを特徴とする請求項１乃至８のいずれか１項に記載の放射線撮像装置。
【請求項１０】
放射線源と、
前記放射線源から放射された放射線を検出するように配置された請求項１乃至９のいずれか１項に記載の放射線撮像装置と、
を備えることを特徴とする放射線撮像システム。
【請求項１１】
前記放射線源および前記放射線撮像装置は、回転可能なＣアームに互いに対向するように取り付けられている、
ことを特徴とする請求項１０に記載の放射線撮像システム。
【請求項１２】
前記フレームレートは、前記Ｃアームの回転中に被検体が等角度間隔で撮像されるように決定されている、
ことを特徴とする請求項１１に記載の放射線撮像システム。
【請求項１３】
撮像部と、前記撮像部を制御する制御部とを備える放射線撮像装置であって、
前記制御部は、複数の放射線画像を撮像する際の前記撮像部における温度の変化が低減されるように、撮像動作の他に、前記撮像動作で発生する熱の他に追加の熱を発生させる温度制御動作を前記撮像部に行わせる、
ことを特徴とする放射線撮像装置。
【請求項１４】
前記撮像部は、同期信号に従ったフレームレートで複数の放射線画像を撮像し、
前記制御部は、前記フレームレートが所定フレームレートより遅い場合に、前記同期信号に従って前記撮像部のリセット動作を前記撮像部に行わせ、前記リセット動作から前記所定フレームレートに応じた待ち時間の経過後に前記温度制御動作を前記撮像部に行わせる、
ことを特徴とする請求項１３に記載の放射線撮像装置。
【請求項１５】
前記制御部は、前記所定フレームレートに応じて前記待ち時間を決定する、
ことを特徴とする請求項１４に記載の放射線撮像装置。
【請求項１６】
前記撮像部は、同期信号に従ったフレームレートで複数の放射線画像を撮像し、
前記温度制御動作は、連続する２つの前記同期信号で規定されるフレーム期間の一部において連続的に実行される、
ことを特徴とする請求項１３に記載の放射線撮像装置。
【請求項１７】
前記撮像部は、同期信号に従ったフレームレートで複数の放射線画像を撮像し、
前記制御部は、前記撮像部における温度の変化が低減されるように、前記フレームレートが所定フレームレートより遅い場合に前記温度制御動作を前記撮像部に行わせる、
ことを特徴とする請求項１３に記載の放射線撮像装置。
【請求項１８】
前記撮像部は、複数の画素を有する画素アレイを備え、
前記複数の画素の各々は、放射線を電気信号に変換する変換素子と、前記変換素子で変換された電気信号に応じた信号を出力する画素内読出回路とを含み、
前記温度制御動作は、前記撮像動作において前記画素内読出回路が消費する電力の他に追加の電力を前記画素内読出回路に消費させる動作を含む、
ことを特徴とする請求項１４乃至１７のいずれか１項に記載の放射線撮像装置。
【請求項１９】
前記画素内読出回路は、直列に接続された電流源および増幅トランジスタを含む増幅回路を含み、前記増幅トランジスタは、前記変換素子で変換された電気信号に応じた信号を出力し、
前記撮像動作は、前記変換素子で変換された電気信号の検出のために前記電流源をイネーブルする動作を含み、前記温度制御動作は、熱を発生するための電力を消費するように前記電流源をイネーブルする動作を含む、
ことを特徴とする請求項１８に記載の放射線撮像装置。
【請求項２０】
前記制御部は、単位時間当たりに前記電流源がイネーブルされる時間であるイネーブル比率を制御するように構成され、
前記温度制御動作は、前記フレームレートの変化による前記イネーブル比率の変化が低減されるように実行される、
ことを特徴とする請求項１９に記載の放射線撮像装置。
【請求項２１】
前記温度制御動作は、断続的に実行される、
ことを特徴とする請求項１３乃至２０のいずれか１項に記載の放射線撮像装置。
【請求項２２】
前記制御部は、放射線が照射されない状態で前記撮像部にダミーの撮像を実行させることによって得られたオフセット画像に基づいて前記複数の放射線画像を補正し、
前記オフセット画像は、前記複数の放射線画像の補正において共通に使用される、
ことを特徴とする請求項１３乃至２１のいずれか１項に記載の放射線撮像装置。
【請求項２３】
放射線源と、
前記放射線源から放射された放射線を検出するように配置された放射線撮像装置と、を備え、
前記放射線撮像装置は、請求項１３乃至２２のいずれか１項に記載されていることを特徴とする放射線撮像システム。